(57)【特許請求の範囲】
【請求項１】
家具下面が玄関の土間よりも一定の高さにある玄関収納家具の前面にミラー扉が家具下縁部に至って付設され、ミラー扉は、扉板にミラーを接着手段にて接着し、扉板の外周端面にＬ型の押さえ桟を取付けて押さえ桟の押さえ片にてミラーの周部前面を押さえて構成され、ミラー扉の下方背部で下方が開放された下部空所に照明器具を配して成ることを特徴とする家具のミラー扉。
【発明の詳細な説明】
【０００１】
【発明の属する技術分野】
本発明は、家具のミラー扉に関し、詳しくは、施工性を高めながらミラー扉におけるミラー面積を増そうとする技術に係るものである。
【０００２】
【従来の技術】
従来、家具のミラー扉は、図９及び図１０に示すように、四周に框材４ａを配し、框材４ａに受段部ｂ，ｃを多段に形成し、奥の受段部ｂにミラー２の周部を嵌め込み、手前の受段部ｃに扉板１ａを嵌め込むとともに扉板１ａとミラー２とを両面テープ３ａにて接着し、更に、扉板１ａ及び押さえ桟ｅをタッカーｄにて固定するものである。
【０００３】
【発明が解決しようとする課題】
ところで、このようなミラー２の取付け構造においては、四周の框材４ａにてミラー２を囲繞するのであり、ミラー２の面積が少なくなるとともにミラー２を取付ける作業が煩雑になり、又、框材４ａ，４ａをダボｇにて接続することから施工性が低下する等という問題があった。図中、符号ｆは蝶番であり回動中心となるものである。
【０００４】
本発明はこのような問題に鑑みてなされたものであり、施工性を高めながらミラー扉におけるミラー面積を増すことができる家具のミラー扉を提供することを課題とするものである。
【０００５】
【課題を解決するための手段】
請求項１においては、家具下面が玄関の土間よりも一定の高さにある玄関収納家具の前面にミラー扉Ａが家具下縁部に至って付設され、ミラー扉Ａは、扉板１にミラー２を接着手段３にて接着し、扉板１の外周端面にＬ型の押さえ桟４を取付けて押さえ桟４の押さえ片５にてミラー２の周部前面を押さえて構成され、ミラー扉Ａの下方背部で下方が開放された下部空所７に照明器具８を配していることを特徴とするものである。このような構成によれば、従来のようにミラー２の四周に框材を使用しなくてもよく、ミラー２の面積を増大させることができ、かつ、押さえ桟４の押さえ片５にミラー２を押さえることから、ミラー２を押さえる構成を簡素化することができ、框材を省くことと併せて施工性も高めることができる。
更に、ミラー扉Ａを正面に備えた玄関収納家具の下部足元を照明することができ、広くなった面積のミラー２に足元を照明して良好に姿を映すことができる。
【０００９】
【発明の実施の形態】
以下、本発明の実施の形態を説明する。図１は断面図、図２は家具の正面図、図３は扉及びミラー扉を外した正面図である。
【００１０】
家具Ｄは、下面が玄関の土間Ｅよりも一定の高さにある玄関収納家具であり、正面に観音開き状に一対のミラー扉Ａ，Ａが蝶番ｆによって回動自在に縦桟９に取付けられて背部の中央収納部１０を開閉することができるようにしている。又、ミラー扉Ａ，Ａの左右には扉１１，１１が蝶番ｆによって回動自在に縦桟材１２に回動自在に取付けられて左右の収納部１３，１３を開閉することができるようにしている。
【００１１】
図１、図６及び図７に示すように、例えばパーチクルボードのような扉板１に扉板１と略同面積のミラー２を、例えば両面粘着テープのような接着手段３にて接着し、扉板１の外周端面に、例えばアルミニウム製の押出成形品でＬ型の押さえ桟４をビス１４にて取付け、押さえ桟４に形成した押さえ片５にてミラー２の周部前面を押さえてミラー扉Ａを構成している。
【００１２】
しかして、従来のようにミラー２の四周に框材を使用することながなく、ミラー２の面積を増大させている。しかも、押さえ桟４の押さえ片５にミラー２を押さえることから、ミラー２を押さえる構成を簡素化していている。
【００１３】
ところで、図７に示すように、蝶番ｆによる回動支点側とは反対側の押さえ桟４ａには嵌合凸部１５が形成され、扉板１側には嵌合凹部１６が形成されていて、嵌合凸部１５を嵌合凹部１６に嵌合させることで、押さえ桟４ａを表面側から押し込むことで取付けていて、押さえ桟４ａにビスが現われることがなく、ミラー扉Ａの外観を高めている。この場合、嵌合凸部１５と嵌合凹部１６とを酢ビ系接着剤にて接着してあるが、必要に応じてタッカーｄを使用するとよい。又、同図（ｃ）に示すように、嵌合凸部１５にやじり状の突起１７を形成して抜止めを図るようにしてもよい。
【００１４】
更に、蝶番ｆによる回動支点側とは反対側の押さえ桟４ａの押さえ片５の幅Ｗを指先よりも広幅にしていて、回動支点側とは反対側の押さえ桟４ａの押さえ片５に手指を当ててミラー扉Ａを回動させて閉じる場合に、押さえ片５の幅Ｗは指先よりも広幅になっていることから、ミラー２に指紋などを付けて汚すことを軽減することができるのである。この場合、図８に示すように、中央収納部１０側の棚板２０にマグネット２１を、ミラー扉Ａ側の扉板１に鉄板２２を取付けて、ミラー扉Ａを蝶番ｆにおいて前方から回動させてマグネット２１と鉄板２２とによる前方からのプッシュロックをおこなう構成になっていて、幅Ｗの広い押さえ片５を押すことで、ミラー２に指紋などを付けて汚すことを、一層、軽減するものである。
【００１５】
ところで、図３（ｂ）に示すように、家具Ｄとしての玄関収納家具の前面のミラー扉Ａ，Ａが家具下縁部に至って付設されていて、足元近傍まで映すことができるのであり、ミラー扉Ａの下方背部には蹴込みを構成する前板１８が取付けられている。この前板１８、左右の縦桟９，９及び地板１９にて囲繞されて下方が開放された下部空所７が構成されて下部空所７に照明器具８を配している。
【００１６】
しかして、ミラー扉Ａを正面に備えた玄関収納家具の下部足元を照明することができ、広くなった面積のミラー２に足元を照明して良好に姿を映すことができるのである。
【００１７】
【発明の効果】
請求項１においては、家具下面が玄関の土間よりも一定の高さにある玄関収納家具の前面にミラー扉が家具下縁部に至って付設され、ミラー扉は、扉板にミラーを接着手段にて接着し、扉板の外周端面にＬ型の押さえ桟を取付けて押さえ桟の押さえ片にてミラーの周部前面を押さえて構成され、ミラー扉の下方背部で下方が開放された下部空所に照明器具を配しているから、従来のようにミラーの四周に框材を使用しなくてもよく、ミラーの面積を増大させることができ、かつ、押さえ桟の押さえ片にミラーを押さえることから、ミラーを押さえる構成を簡素化することができ、框材を省くことと併せて施工性も高めることができるという利点がある。
更に、ミラー扉を正面に備えた玄関収納家具の下部足元を照明することができ、広くなった面積のミラーに足元を照明して良好に姿を映すことができるという利点がある。
【図面の簡単な説明】
【図１】本発明の実施の一形態の断面図である。
【図２】同上の家具の正面図である。
【図３】（ａ）は同上の扉及びミラー扉を外した正面図、（ｂ）は断面図である。
【図４】図２のＢ−Ｂ線断面図である。
【図５】図２のＣ−Ｃ線断面図である。
【図６】同上のミラー扉を示し、（ａ）は正面図、（ｂ）は平面図、（ｃ）は側面図である。
【図７】（ａ）は水平断面図、（ｂ）は正面図、（ｃ）は他の例を示す押さえ桟の断面図である。
【図８】同上の部分断面図である。
【図９】従来例を示し、（ａ）の部分断面図、（ｂ）は部分正面図である。
【図１０】（ａ）は正面図、（ｂ）は平面図、（ｃ）は側面図である。
【符号の説明】
１  扉板
２  ミラー
３  接着手段
４  押さえ桟
５  押さえ片
６  差込み嵌合手段
７  下部空所
８  照明器具
【図１】
0003601360.tif 000002
【図２】
0003601360.tif 000003
【図３】
0003601360.tif 000004
【図４】
0003601360.tif 000005
【図５】
0003601360.tif 000006
【図６】
0003601360.tif 000007
【図７】
0003601360.tif 000008
【図８】
0003601360.tif 000009
【図９】
0003601360.tif 000010
【図１０】
0003601360.tif 000011